(57)【要約】【課題】  単純な構造で、正規コインと偽コインの選別を確実に行うことができるコイン選別装置を提供すること。【解決手段】  正規コインよりも直径寸法が大きい偽コインの導入を阻止する形状を持つコイン導入部と、前記コイン導入部から導入されるコインの端面に直交する方向に延びる所定の軸を中心に回動可能に構成された振り子とを備え、前記振り子は、偏心位置に、前記コイン導入部から投入された正規コインを捕捉可能なコイン受け部を有し、前記コイン受け部は、正規コインよりも直径寸法が小さい偽コインを素通りさせるように構成されると共に、捕捉した正規コインの重量で前記振り子を一方向に所定角度回動させるように構成され、正規コインを前記振り子の回動によって前記コイン受けから落下させて一の場所に導き、正規コインよりも直径寸法が小さい偽コインを前記コイン受けを素通りさせ他の場所に導くように構成されている。【選択図】  図１
2006309655.tif 000002
【特許請求の範囲】
【請求項１】
正規コインよりも直径寸法が大きい偽コインの導入を阻止する形状を持つコイン導入部と、前記コイン導入部の後段に設けられ該コイン導入部から導入されるコインの端面に直交する方向に延びる所定の軸を中心に回動可能に構成された振り子とを備えたコイン選別装置であって、前記振り子は、偏心位置に、前記コイン導入部から投入された正規コインを捕捉可能なコイン受け部を有し、前記コイン受け部は、正規コインよりも直径寸法が小さい偽コインを素通りさせるように構成されると共に、捕捉した正規コインの重量で前記振り子を一方向に所定角度回動させるように構成され、正規コインを前記振り子の回動によって前記コイン受けから落下させて一の場所に導き、正規コインよりも直径寸法が小さい偽コインを前記コイン受けを素通りさせ他の場所に導くように構成されていることを特徴とするコイン選別装置。
【請求項２】
前記コイン導入部は、正規コインよりも厚さ寸法が大きい偽コインの投入をも阻止する形状となっていることを特徴とする請求項１に記載のコイン選別装置。
【請求項３】
コイン導入部から導入されたコインの両端面に対面して前記コイン導入部を区画し且つ操作レバーの操作によって互いに離反する方向に動作する２つのプレートが設けられ、前記２つのプレートのうちの一方のプレートに前記振り子が付設され、前記振り子は、正規コインよりも軽量の偽コインの場合には該偽コインの重量によっては回動しないか又は回動が不十分となるように構成されると共に前記コイン受け部が正規コインの外周の離れた２点を支持して該正規コインを捕捉する２つの突起から構成され、前記２つの突起のうちで前記振り子の外周近くに存在する一方の突起は前記振り子が回転しないか又は回転が不十分な場合には前記２つのプレートの接離に拘わらず前記一の場所へのコインの流通を阻害するように構成され、前記２つのプレートが互いに離反した際には他方の突起の先端と他方のプレートとの間に正規コインの厚さ寸法よりも大きい隙間が形成されるように構成され、前記操作レバーの操作によって前記２つのプレートを互いに離反する方向に動作させた際に前記他方の突起の先端と前記他方のプレートとの間に形成される隙間から、正規コインよりも軽量のコインを前記他の場所に導くことを特徴とする請求項１又は２に記載のコイン選別装置。
【請求項４】
正規コインは非磁性体であり、前記コイン導入路に常態で臨み磁性体である偽コインを捕捉する磁石が設けられ、前記磁石は、前記操作レバーの操作によって前記２つのプレートを互いに離反する方向に動作させた際にコイン通路外位置まで移動して、前記他方の突起の先端と前記他方のプレートとの間に形成された隙間から、磁性体である偽コインを前記他の場所に導くことを特徴とする請求項３に記載のコイン選別装置。
【請求項５】
前記他方の突起の先端と前記他方のプレートとの間には正規コインの厚さ寸法よりも小さい隙間が形成されており、正規コインよりも厚さ寸法が小さい偽コインを前記他方の突起の先端と前記他方のプレートとの隙間を素通りさせて前記他の場所に導くことを特徴とする請求項３又は４に記載のコイン選別装置。
【発明の詳細な説明】
【技術分野】
【０００１】
本発明は、コイン選別装置に関し、特に、簡易なゲーム機等で採用される一種類のコインを選別するコイン選別装置に関する。
【背景技術】
【０００２】
コイン選別装置では、正規コインに対して、直径寸法，重量，厚さ等が相違する場合に，そのコインを偽コインとして選別排除することが行われている。そして、このようなコイン選別装置には、コイン通路の下流に、クレードル（揺動体）が配設されるとともに、該クレードルに正規コインの直径寸法よりも小さな間隔をもった係合片（突起）が形成され、その係合片がコイン通路の下方に配置された存在している（例えば、特許文献１参照）。
このコイン選別装置では、正規コインは、係合片で受け止められ、それによってクレードル（揺動体）が揺動され、正規コイン排出路に排出され、正規コインよりも径の小さなコインは、係合片間を擦り抜けて偽コイン排出路に排出される。
【０００３】
【特許文献１】実開昭６１−１８０３６２号公報（図１〜図５参照）
【発明の開示】
【発明が解決しようとする課題】
【０００４】
ところで、特許文献１のコイン選別装置では、正規コインよりも径の小さな偽コインの場合でも、一方の係合片に落下衝突すると、クレードルが揺動されてしまう虞があるため、２本の腕を有する２又状回動制御操作レバーを枢着させ、この操作レバーによって、クレードルが瞬間的に回動されるのを阻止し、それによって径の小さな偽コインが正規コイン排出路に排出されるのを防止している。
したがって、特許文献１のコイン選別装置では、構造が複雑になり、それだけ装置が大型化し、かつコスト高になる。
【０００５】
本発明は、かかる問題点を解決するためになされたもので、単純な構造で、正規コインと偽コインの選別を確実に行うことができるコイン選別装置を提供することを目的としている。
【課題を解決するための手段】
【０００６】
本発明は、正規コインよりも直径寸法が大きい偽コインの導入を阻止する形状を持つコイン導入部と、前記コイン導入部の後段に設けられ該コイン導入部から導入されるコインの端面に直交する方向に延びる所定の軸を中心に回動可能に構成された振り子とを備えたコイン選別装置であって、前記振り子は、偏心位置に、前記コイン導入部から投入された正規コインを捕捉可能なコイン受け部を有し、前記コイン受け部は、正規コインよりも直径寸法が小さい偽コインを素通りさせるように構成されると共に、捕捉した正規コインの重量で前記振り子を一方向に所定角度回動させるように構成され、正規コインを前記振り子の回動によって前記コイン受けから落下させて一の場所に導き、正規コインよりも直径寸法が小さい偽コインを前記コイン受けを素通りさせ他の場所に導くように構成されていることを特徴とする。この場合、前記コイン導入部は、正規コインよりも厚さ寸法が大きい偽コインの投入をも阻止する形状となっていることが好ましい。また、「一の場所」とは正規ルートであり、「他の場所」とは例えば返却口ルートである。
なお、ここに「コイン導入部」とは、コイン通路のみならずコイン投入口をも含む概念として特許請求の範囲及び明細書では使用している。
【０００７】
また、コイン導入部から導入されたコインの両端面に対面して前記コイン導入部を区画し且つ操作レバーの操作によって互いに離反する方向に動作する２つのプレートが設けられ、前記２つのプレートのうちの一方のプレートに前記振り子が付設され、前記振り子は、正規コインよりも軽量の偽コインの場合には該偽コインの重量によっては回動しないか又は回動が不十分となるように構成されると共に前記コイン受け部が正規コインの外周の離れた２点を支持して該正規コインを捕捉する２つの突起から構成され、前記２つの突起のうちで前記振り子の外周近くに存在する一方の突起は前記振り子が回転しないか又は回転が不十分な場合には前記２つのプレートの接離に拘わらず前記一の場所へのコインの流通を阻害するように構成され、前記２つのプレートが互いに離反した際には他方の突起の先端と他方のプレートとの間に正規コインの厚さ寸法よりも大きい隙間が形成されるように構成され、前記操作レバーの操作によって前記２つのプレートを互いに離反する方向に動作させた際に前記他方の突起の先端と前記他方のプレートとの間に形成される隙間から、正規コインよりも軽量のコインを前記他の場所に導くことが好ましい。
【０００８】
さらに、正規コインは非磁性体であり、前記コイン導入路に常態で臨み磁性体である偽コインを捕捉する磁石が設けられ、前記磁石は、前記操作レバーの操作によって前記２つのプレートを互いに離反する方向に動作させた際にコイン通路外位置まで移動して、前記振り子と他方のプレートとの間に形成された隙間から、磁性体である偽コインを前記他の場所に導くことが好ましい。
【０００９】
また、前記他方の突起の先端と前記他方のプレートとの間には正規コインの厚さ寸法よりも小さい隙間が形成されており、正規コインよりも厚さ寸法が小さい偽コインを前記他方の突起の先端と前記他方のプレートとの隙間を素通りさせて前記他の場所に導くようにすることが好ましい。
【発明の効果】
【００１０】
本発明によれば、コイン導入部の形状の工夫と、振り子の設置と、コイン受け部の構成の工夫とによって、正規コインと、正規コインとは直径寸法が異なる偽コインとの振り分けが実現されるので、簡素で且つ安価なコイン選別装置が実現できることになる。
【００１１】
また、正規コインよりも軽量の偽コインの場合には振り子が回動しないように振り子のバランスを工夫し、振り子のコイン受け部で捕捉されたその偽コインを、振り子が付設されたプレートとそれに対向するプレートとの間隔を拡げることによって排除することとしているので、この点でも、簡素で且つ安価なコイン選別装置が実現できることになる。
【００１２】
さらに、正規コインが非磁性体で且つ磁性体の偽コインを排除する場合に、偽コインを磁石で捕捉し、その捕捉された偽コインを、振り子が付設されたプレートとそれに対向するプレートとの間隔を拡げると共に磁石による吸着を解除させることによって排除することとしているので、この点でも、簡素で且つ安価なコイン選別装置が実現できることになる。
【００１３】
また、正規コインよりも厚さ寸法が小さい偽コインを排除する場合に、他方の突起の先端と他方のプレートとの隙間を素通りさせて他の場所へ排除することとしているので、操作レバーの操作が不要となるので、より便利なものとなる。
【発明を実施するための最良の形態】
【００１４】
以下に、本発明に係るコイン選別装置を、図面を参照しながら説明する。
図１は本発明に係るコイン選別装置の前面側を示した斜視図、図２は本発明に係るコイン選別装置の背面側を示した斜視図、、図３は図１におけるＩＶ−ＩＶ線断面図、図４は図１におけるＶ矢視図、図５〜図９は図１および図２に示した硬貨選別装置の機能を説明するための模式図である。
【００１５】
このコイン選別装置１は、ケース２が、ケース本体２ａと、該ケース本体に軸３によって開閉自在に支持されたプレート２ｂとによって構成されている。そして、プレート２ｂは、図１に示したように、軸３に巻回されたねじりコイルばね４の付勢力によって閉成方向に付勢され、プレート２ｂと、ケース２の背壁となるプレート２ｃとの間に、正規コインＡの厚さ寸法よりも僅かに大きい隙間を形成している。そして、ケース２の上端にはプレート２ｂとプレート２ｃとの間で、正規コインＡよりも直径寸法の大きい偽コインと、正規コインＡよりも厚さ寸法の大きい偽コインの投入を阻止する形状のコイン投入口他の場所が形成されている。すなわち、実施形態のコイン投入口他の場所の開口部の長手方向の寸法は正規コインＡの直径寸法よりも僅かに大きく、小口方向の寸法は正規コインＡの厚さ寸法よりも僅かに大きく設定されている。なお、ケース２は軸３やビスを取り外すことによってケース本体２ａとプレート２ｂとを分割可能とすることが好ましい。メンテナンスを容易にするためである。また、ケース本体２ａ及びプレート２ｂのうち少なくともプレート２ｂは透明プラスチックで構成されることが好ましい。透明部分を通して内部が目視確認できるようにすることで、トラブルを未然に防止するためである。
【００１６】
プレート２ｃの内面には、コイン投入口他の場所から斜め下方に向けて延在する２本のリブ５が互いに離れて形成されている。そして、この２本のリブ５と、プレート２ｂと、プレート２ｃとによって、前記コイン投入口他の場所と共にコイン導入路を構成するコイン通路６が区画されている。なお、２本のリブ５の間隔は、下方に行くに従って狭くなり、下端では、正規コインＡの直径寸法よりも僅かに大きく設定されている。
【００１７】
なお、実施形態の場合には、コイン投入口他の場所の形状は正規コインＡよりも直径寸法の大きい偽コインの投入を阻止するような大きさとなっているので、コイン通路６には正規コインＡよりも直径寸法の大きい偽コインが入る場合はない。しかし、コイン投入口他の場所に、一旦、正規コインＡよりも直径寸法の大きい偽コインを導入できるようにしておいて、コイン通路６でその偽コインのそれ以上の導入を阻止するようにしてもよいことは勿論である。
【００１８】
また、プレート２ｃにはリブ５の上方に、図２に示したように、操作レバー７の一端部が、プレート２ｃの外面に沿って操作できるように、軸８によって回動自在に支持されている。そして、操作レバー７は、軸８に巻回されたねじりコイルばね９によって上方に向けて付勢されている。操作レバー７の中間部には磁石１１が配設されている。磁石１１は、プレート２ｃに形成された長孔１１からコイン通路内位置に常態で臨んでいる。そして、操作レバー７が下方に向けて操作された際に、磁石１１は操作レバー７と一体的に動作し長孔１０に沿って移動してコイン通路外位置を取るようになっている。また、操作レバー７の他端部（自由端部）には、ケース本体２ａの内方に向けて突出する突起１２が形成されている。この突起１２は、プレート２ｃに形成された長孔１３からケース２内に突出している。
【００１９】
一方、プレート２ｂの内面には半月状の振り子１４が設けられている。具体的には、振り子１４の中心部が軸１５によって回動自在に支持されている。振り子１４の直径寸法は正規コインＡの直径寸法の２倍程度となっている。そして、振り子１４は、図３に示したように、コイン通路６を下方に延長した場所にその半部が位置するように設置されている。振り子１４にはプレート２ｃ側の面に２つの突起１６が形成されている。２つの突起１６は正規コインＡと同じ曲率を有し、正規コインＡの外周の離れた２点を支持して正規コインＡを捕捉することができるようにされている。この２つの突起１６はコイン受けを構成している。そして、この２つの突起１６は、振り子１４が初期状態（コインが投入されない状態）にあるとき、２本のリブ５のほぼ延長線上に位置している。そして、２つの突起のうちで振り子１４の外周近くに存在する一方の突起１６は振り子１４が回転しないか又は回転が不十分な場合には後述の正規コイン排出路１８側へのコインの流通を阻害する働きをする。また、２つの突起１６は正規コインＡを捕捉した際にその正規コインＡの重量によって振り子１４を一方向に回動させる働きをする。一方で、２つの突起１６は、正規コインＡよりも直径寸法が小さい偽コインの場合には、２つの突起１６の間を素通りさせる働きをする。なお、振り子１４は軸１５を取り外すことによってプレート２ｂに対して離脱可能となっている。
【００２０】
このために、振り子１４は回動範囲を規制されている。すなわち、正規コインＡの場合には、その正規コインＡによって振り子１４を一方向に所定角度回動させてコイン通路６の下方にコインＡを落下させ、一方、正規コインＡよりも直径寸法が小さい偽コインの場合には、２つの突起１６の間を素通りさせて、その偽コインを振り子１４の下方に落下させることができるように、振り子１４の初期状態が設定されている。この場合の初期状態とは、コインが投入されないときに振り子１４が取り得る状態である。実施形態の場合には、コイン通路６が傾斜しているので、半月状の振り子１４の下半部がコイン通路６の下端開口を閉塞するような状態を取るように規制されている。一方、実施形態の振り子１４は、正規コインＡの場合に、その正規コインＡの重量によって振り子１４が一方向に所定角度回動してコイン通路６の下方にコインＡを落下させることができる状態まで初期状態から回動するようになっている。以上のような構成とするために、実施形態の場合には、振り子１４のプレート２ｃ側に設けた突起１６、又は振り子１４の反対面に設けた突起１４ａのそれぞれが臨入する長孔３０，３１の長さ寸法および形状を設定している。
また、プレート２ｂにおける振り子１４の設置部分は、内面側が凹部、外面側（前面側）が凸部となるように構成されている。そして、振り子１４は、プレート２ｂの内面側の凹部内に設置され、２つの突起１６だけがコイン通路６内に突出するように構成されている。また、振り子１４はプレート２ｂの内面側の凹部内で回動できるようになっている。
【００２１】
また、プレート２ｂの内面には、軸８とは反対の部位、すなわち、上記操作レバー７の突起１２に対向する部位には、図４に示したように、カム１７が形成されている。このカム１７のカム面１７ａは、上記操作レバー７を下方に作動させたとき、突起１２によってプレート２ｃに対してプレート２ｂとを離反させるように、下方に向かってより内方に突出するような形状となっている。なお、プレート２ｃに対してプレート２ｂを離反させたときには、２つの突起１６のうちで振り子の外周近くに存在する一方の突起１６は振り子１４が回転しないか又は回転が不十分な場合には後述の正規コイン排出路１８側へのコインの流通を阻害するように構成され、他方の突起１６とプレート２ｃとの間には正規コインＡの厚さ寸法よりも大きい隙間が形成されるようにされている。
【００２２】
さらに、このコイン選別装置１では、ケース２における振り子１４の下方に、正規コイン排出路１８と偽コイン排出路１９が形成されている。正規コイン排出路１８は、振り子１４の突起１６が形成された部位の下方に位置し、偽コイン排出路１９は、コイン通路６の延長方向下方に位置されている。そして、正規コインＡは正規コイン排出路１８に、正規コインよりも直径寸法が小さい偽コインは偽コイン排出路１９に排出されるように構成されている。その正規コインと偽コインとの振り分けを容易にするために、逆Ｖ字状の振分け部材３２が設けられている。
【００２３】
このように構成されたコイン選別装置１は、以下のように動作する。
正規コインＡ、すなわち、所定の直径寸法，重量のコインをコイン通路６に投入すると、図５に示したように、該コインは２つの突起１６によって通過が阻止され、正規コインＡの重量で振り子１４が付勢力に抗して２点鎖線で示したように回動する。すると、コインＡは、正規コイン排出路１８に落下される。この位置では、振り子の外周近くに存在する一方の突起１６は正規コイン排出路１８側へのコインの流通を阻害しない。
また、正規コインＡの直径寸法よりも大きな径の偽コインＢをコイン通路６に投入しようとすると、コイン通路６のコイン投入口６ａの幅が、正規コインＡの直径寸法よりも僅かに大きく、かつ厚み方向の間隙が、正規コインＡの厚みよりも僅かに大きく形成されているだけなので、その偽コインＢは、図６に示したように、コイン通路６のコイン投入口６ａで、コイン通路６内への進入が阻止される。
さらに、正規コインＡの直径寸法よりも小さい偽コインＣをコイン通路６に投入すると、図７に示したように、偽コインＣは突起１６間を通過して、２点鎖線で示したように、偽コイン排出路１９に落下する。
また、正規コインＡの直径寸法とほぼ同じ径で重量が小さい偽コインＤをコイン通路６に投入すると、偽コインＤは、図８に示したように、突起１６によって通過が阻止される。この場合、偽コインＡの重量によって振り子１４が全く回動しないか又は不十分にして回動しない。なお、正規コインＡよりも重量が小さく直径寸法が小さなコインの場合には、突起１６によって通過が阻止されることはなく、そのまま通過して偽コイン排出路１９に落下される。
さらに、磁性体である偽コインＥをコイン通路６に投入すると、偽コインＥは、図９に示したように、磁石１１によって吸着される。  
【００２４】
次に、振り子１４に留められた偽コインＤや、磁石１１によって吸着された偽コインＥの処理の仕方について説明する。
この場合には、操作レバー７を操作することによって、偽コイン排出路１９へ排出させる。
すなわち、操作レバー７を操作すると、該操作レバーの突起１２，プレート２ｂのカム面１７ａを介してプレート２ｂが押し開かれ、コイン通路６が開放される。このとき、一方の突起１６（振り子１４の外周近くの突起１６）の先端とプレート２ｃとの隙間寸法が偽コインの厚さ寸法よりも小さく、且つ他方の突起１６の先端とプレート２ｃとの隙間が偽コインの厚さ寸法よりも大きくなるので、前記一方の突起１６に邪魔されて偽コインは正規コイン排出路１８には排出されず、前記他方の突起１６の先端とプレート２ｃとの隙間を通り偽コイン排出路１９へ落下排出される。
なお、磁性体である偽コインＤの場合には、磁石１１が操作レバー７の回動動作に伴って、図９において２点鎖線で示したように、コイン通路６から外れ、それによってコインＥが磁石１１の吸着力から開放されるので、偽コイン排出路１９へ落下排出される。
【００２５】
以上、本発明の実施形態を説明したが、本発明は、かかる実施形態に限定されるものではなく、その要旨を逸脱しない範囲で種々の変形が可能であることは言うまでもない。
【００２６】
例えば、振り子１４の外周近くの突起（内側突起）１６と異なる突起１６の先端とプレート２ｃとの間に正規コインＡの厚さ寸法よりも小さい隙間を形成しておき、正規コインＡよりも厚さ寸法が小さい偽コインを、操作レバー７の操作を伴うことなく、内側突起１６の先端とプレート２ｃとの隙間を素通りさせて偽コイン排出路１９に導くようにしてもよい。
【００２７】
なお、本発明のコイン選別装置は硬貨の選別のみならず、ゲームコイン等の選別にも使用できることは言うまでもない。
【００２８】
また、実施形態では、プレート２ｃに対してプレート２ｂが軸３を中心に回動するように構成されているが、プレート２ｃ及びプレート２ｂの対向面が平行を保ちながら接近・離反（接離）するような構成となっていてもよい。
【図面の簡単な説明】
【００２９】
【図１】本発明に係るコイン選別装置の前面側を示した斜視図である。
【図２】本発明に係るコイン選別装置の後面側を示した斜視図である。
【図３】図１におけるＩＶ−ＩＶ線断面図である。
【図４】図１におけるＶ矢視図である。
【図５】本発明に係るコイン選別装置の機能を説明するための模式図で、正規コインの場合の選別動作を示している。
【図６】本発明に係るコイン選別装置の機能を説明するための模式図で、正規コインよりも大きな偽コインの場合の選別動作を示している。
【図７】本発明に係るコイン選別装置の機能を説明するための模式図で、正規コインよりも小さな偽コインの場合の選別動作を示している。
【図８】本発明に係るコイン選別装置の機能を説明するための模式図で、正規コインとほぼ同じ大きさで、重量の小さな偽コインの場合の選別動作を示している。
【図９】本発明に係るコイン選別装置の機能を説明するための模式図で、鉄製コインの場合の選別動作を示している。
【符号の説明】
【００３０】
１  コイン選別装置
２  ケース
２ａ  ケース本体
２ｂ，２ｃ  プレート
６  コイン通路
６ａ  コイン投入口
７  操作レバー
１０  磁石
１４  振り子
１６  突起
１８  正規コイン排出路
１９  偽コイン排出路
Ａ  正規コイン  
Ｂ  径の大きなコイン（偽コイン）
Ｃ  径の小さなコイン（偽コイン）
Ｄ  同径で、軽量なコイン（偽コイン）  
Ｅ  磁性体コイン（偽コイン）
【図１】
2006309655.tif 000003
【図２】
2006309655.tif 000004
【図３】
2006309655.tif 000005
【図４】
2006309655.tif 000006
【図５】
2006309655.tif 000007
【図６】
2006309655.tif 000008
【図７】
2006309655.tif 000009
【図８】
2006309655.tif 000010
【図９】
2006309655.tif 000011